【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて動的アップリンクおよびダウンリンク送信時間間隔（ＴＴＩ）切替えを使用して通信するための方法であって、
ダウンリンク通信のために専用化されるフレーム構造中の１つまたは複数のダウンリンクＴＴＩと、アップリンク通信のために専用化される前記フレーム構造中の１つまたは複数のアップリンクＴＴＩとを示す設定を受信することと、
前記フレーム構造中の設定可能ＴＴＩをダウンリンク通信のために設定されることからアップリンク通信のために設定されることに切り替えることの通知をネットワークエンティティから受信することと、ここにおいて、前記設定可能ＴＴＩが、フレーム内でダウンリンク通信のために設定されることとアップリンク通信のために設定されることとの間の設定可能ＴＴＩの動的切替えを可能にする、前記１つまたは複数のダウンリンクＴＴＩまたは前記１つまたは複数のアップリンクＴＴＩを含まない、前記フレーム構造中の複数のＴＴＩのうちの１つである、
前記通知に少なくとも部分的に基づいて、前記設定可能ＴＴＩの間にアップリンク通信を前記ネットワークエンティティに送信することと
を備え、ここにおいて、前記通知を受信することは、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
を備える、方法。
【請求項２】
送信することは、前記設定可能ＴＴＩ中に制御データを前記ネットワークエンティティに送信することを備える、請求項１に記載の方法。
【請求項３】
前記制御データが、１つまたは複数の肯定応答または否定応答インジケータ、チャネル状態情報報告、またはスケジューリング要求を含む、請求項２に記載の方法。
【請求項４】
前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信することをさらに備える、請求項１に記載の方法。
【請求項５】
前記通知を受信することが、後続の設定可能ＴＴＩをダウンリンクバーストのためのダウンリンク通信のために設定されることに切り替える前に前記アップリンクバーストの長さを示すアップリンクリソース許可を受信することをさらに含む、請求項４に記載の方法。
【請求項６】
前記通知を受信することが、ダウンリンク通信のために設定された前のＴＴＩ中のビットを受信することをさらに含み、ここにおいて、前記ビットは、前記設定可能ＴＴＩがアップリンク通信のために設定されるべきであること、および／または前記設定可能ＴＴＩを含む複数の後続の設定可能ＴＴＩがアップリンクデータバーストのためのアップリンク通信のために設定されることを示す、請求項１に記載の方法。
【請求項７】
前記通知に少なくとも部分的に基づいて、次のダウンリンクバーストのためのダウンリンク通信のために切り替えられるべき次の設定可能ＴＴＩを決定することと、
前記次の設定可能ＴＴＩ中に前記ネットワークエンティティから制御データを受信することと
をさらに備える、請求項１に記載の方法。
【請求項８】
前記設定可能ＴＴＩに関係するアップリンクデータバーストのバースト長に少なくとも部分的に基づいて、次のダウンリンクバーストのためのダウンリンク通信のために切り替えられるべき次の設定可能ＴＴＩを決定することをさらに備え、ここにおいて、前記バースト長が、前記設定可能ＴＴＩに関係するアップリンクリソース許可において指定される、請求項１に記載の方法。
【請求項９】
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信のために設定されることに戻る前記１つまたは複数の設定可能ＴＴＩの切替えを決定することと
をさらに備える、請求項１に記載の方法。
【請求項１０】
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信のために設定されることに戻る前記１つまたは複数の設定可能ＴＴＩの切替えを決定することと
をさらに備える、請求項１に記載の方法。
【請求項１１】
前記設定可能ＴＴＩが前記１つまたは複数の基準信号を含まないことを検出することは、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を備える、請求項１に記載の方法。
【請求項１２】
前記前の設定可能ＴＴＩがダウンリンク通信のために設定されると決定することは、前記前の設定可能ＴＴＩ中に受信された１つまたは複数の信号から物理レイヤチャネルを復号することをさらに含む、請求項１に記載の方法。
【請求項１３】
ワイヤレスネットワークにおいて動的アップリンクおよびダウンリンク送信時間間隔（ＴＴＩ）切替えを使用して通信するためのユーザ機器であって、
トランシーバと、
前記ワイヤレスネットワークにおいて信号を通信するためにバスを介して前記トランシーバに通信可能に結合された少なくとも１つのプロセッサと、
前記バスを介して前記少なくとも１つのプロセッサおよび／または前記トランシーバに通信可能に結合されたメモリと
を備え、
ここにおいて、前記少なくとも１つのプロセッサおよび前記メモリは、
ダウンリンク通信のために専用化されるフレーム構造中の１つまたは複数のダウンリンクＴＴＩと、アップリンク通信のために専用化される前記フレーム構造中の１つまたは複数のアップリンクＴＴＩとを示す設定を受信することと、
前記トランシーバを介して、前記フレーム構造中の設定可能ＴＴＩをダウンリンク通信のために設定されることからアップリンク通信のために設定されることに切り替えることの通知をネットワークエンティティから受信することと、ここにおいて、前記設定可能ＴＴＩが、フレーム内でダウンリンク通信のために設定されることとアップリンク通信のために設定されることとの間の設定可能ＴＴＩの動的切替えを可能にする、前記１つまたは複数のダウンリンクＴＴＩまたは前記１つまたは複数のアップリンクＴＴＩを含まない、前記フレーム構造中の複数のＴＴＩのうちの１つである、
前記トランシーバを介して、前記通知に少なくとも部分的に基づいて、前記設定可能ＴＴＩの間にアップリンク通信を前記ネットワークエンティティに送信することと
を行うように動作可能であり、ここにおいて、前記少なくとも１つのプロセッサおよび前記メモリは、少なくとも部分的に、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
を行うことによって前記通知を受信するように動作可能である、ユーザ機器。
【請求項１４】
前記アップリンク通信が、前記設定可能ＴＴＩ中に前記ネットワークエンティティに送信された制御データに対応する、請求項１３に記載のユーザ機器。
【請求項１５】
前記制御データが、１つまたは複数の肯定応答または否定応答インジケータ、チャネル状態情報報告、またはスケジューリング要求を含む、請求項１４に記載のユーザ機器。
【請求項１６】
前記少なくとも１つのプロセッサおよび前記メモリが、前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信するようにさらに動作可能である、請求項１３に記載のユーザ機器。
【請求項１７】
前記少なくとも１つのプロセッサおよび前記メモリが、少なくとも部分的に、後続の設定可能ＴＴＩをダウンリンクバーストのためのダウンリンク通信のために設定されることに切り替える前に前記アップリンクバーストの長さを示すアップリンクリソース許可を受信することによって前記通知を受信するように構成される、請求項１６に記載のユーザ機器。
【請求項１８】
前記少なくとも１つのプロセッサおよび前記メモリが、少なくとも部分的に、ダウンリンク通信のために設定された前のＴＴＩ中のビットを受信することによって前記通知を受信するように構成され、ここにおいて、前記ビットは、前記設定可能ＴＴＩがアップリンク通信のために設定されるべきであること、および／または前記設定可能ＴＴＩを含む複数の後続の設定可能ＴＴＩがアップリンクデータバーストのためのアップリンク通信のために設定されることを示す、請求項１３に記載のユーザ機器。
【請求項１９】
前記少なくとも１つのプロセッサおよび前記メモリが、
前記通知に少なくとも部分的に基づいて、次のダウンリンクバーストのためのダウンリンク通信のために切り替えられるべき次の設定可能ＴＴＩを決定することと、
前記次の設定可能ＴＴＩ中に前記ネットワークエンティティから制御データを受信することと
を行うようにさらに動作可能である、請求項１３に記載のユーザ機器。
【請求項２０】
前記少なくとも１つのプロセッサおよび前記メモリが、前記設定可能ＴＴＩに関係するアップリンクデータバーストのバースト長に少なくとも部分的に基づいて、次のダウンリンクバーストのためのダウンリンク通信のために切り替えられるべき次の設定可能ＴＴＩを決定するようにさらに動作可能であり、ここにおいて、前記バースト長が、前記設定可能ＴＴＩに関係するアップリンクリソース許可において指定される、請求項１３に記載のユーザ機器。
【請求項２１】
前記少なくとも１つのプロセッサおよび前記メモリは、
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信のために設定されることに戻る前記１つまたは複数の設定可能ＴＴＩの切替えを決定することと
を行うようにさらに動作可能である、請求項１３に記載のユーザ機器。
【請求項２２】
前記少なくとも１つのプロセッサおよび前記メモリが、
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信のために設定されることに戻る前記１つまたは複数の設定可能ＴＴＩの切替えを決定することと
を行うようにさらに動作可能である、請求項１３に記載のユーザ機器。
【請求項２３】
前記少なくとも１つのプロセッサおよび前記メモリは、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
によって、前記設定可能ＴＴＩが前記１つまたは複数の基準信号を含まないことを検出するように動作可能である、請求項１３に記載のユーザ機器。
【請求項２４】
前記少なくとも１つのプロセッサおよび前記メモリは、少なくとも部分的に、前記前の設定可能ＴＴＩ中に受信された１つまたは複数の信号から物理レイヤチャネルを復号することによって、前記前の設定可能ＴＴＩがダウンリンク通信のために設定されると決定するようにさらに動作可能である、請求項１３に記載のユーザ機器。
【請求項２５】
ワイヤレスネットワークにおいて動的アップリンクおよびダウンリンク送信時間間隔（ＴＴＩ）切替えを使用して通信するためのユーザ機器であって、
ダウンリンク通信のために専用化されるフレーム構造中の１つまたは複数のダウンリンクＴＴＩと、アップリンク通信のために専用化される前記フレーム構造中の１つまたは複数のアップリンクＴＴＩとを示す設定を受信するための手段と、
前記フレーム構造中の設定可能ＴＴＩをダウンリンク通信のために設定されることからアップリンク通信のために設定されることに切り替えることの通知をネットワークエンティティから受信するための手段と、ここにおいて、前記設定可能ＴＴＩが、フレーム内でダウンリンク通信のために設定されることとアップリンク通信のために設定されることとの間の設定可能ＴＴＩの動的切替えを可能にする、前記１つまたは複数のダウンリンクＴＴＩまたは前記１つまたは複数のアップリンクＴＴＩを含まない、前記フレーム構造中の複数のＴＴＩのうちの１つである、
前記通知に少なくとも部分的に基づいて、前記設定可能ＴＴＩの間にアップリンク通信を前記ネットワークエンティティに送信するための手段と
を備え、ここにおいて、前記通知を受信するための前記手段は、
前の設定可能ＴＴＩ中に１つまたは複数の基準信号を検出することに少なくとも部分的に基づいて、前記前の設定可能ＴＴＩがダウンリンク通信のために設定される、と決定するための手段と、
前記設定可能ＴＴＩが前記１つまたは複数の基準信号を含まないことを検出することに少なくとも部分的に基づいて、前記設定可能ＴＴＩがアップリンク通信のために設定される、と決定するための手段と
を備える、ユーザ機器。
【請求項２６】
送信するための前記手段が、前記設定可能ＴＴＩ中に前記アップリンク通信を制御データとして前記ネットワークエンティティに送信する、請求項２５に記載のユーザ機器。
【請求項２７】
前記設定可能ＴＴＩがアップリンク通信のために設定されると決定するための前記手段は、前記設定可能ＴＴＩが、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を行うことによって前記１つまたは複数の基準信号を含まないことを検出する、請求項２５に記載の装置。
【請求項２８】
ワイヤレスネットワークにおいて動的アップリンクおよびダウンリンク送信時間間隔（ＴＴＩ）切替えを使用して通信するためのコンピュータ実行可能コードを備える、非一時的コンピュータ可読記憶媒体であって、前記コードは、
ダウンリンク通信のために専用化されるフレーム構造中の１つまたは複数のダウンリンクＴＴＩと、アップリンク通信のために専用化される前記フレーム構造中の１つまたは複数のアップリンクＴＴＩとを示す設定を受信するためのコードと、
前記フレーム構造中の設定可能ＴＴＩをダウンリンク通信のために設定されることからアップリンク通信のために設定されることに切り替えることの通知をネットワークエンティティから受信するためのコードと、ここにおいて、前記設定可能ＴＴＩが、フレーム内でダウンリンク通信のために設定されることとアップリンク通信のために設定されることとの間の設定可能ＴＴＩの動的切替えを可能にする、前記１つまたは複数のダウンリンクＴＴＩまたは前記１つまたは複数のアップリンクＴＴＩを含まない、前記フレーム構造中の複数のＴＴＩのうちの１つである、
前記通知に少なくとも部分的に基づいて、前記設定可能ＴＴＩの間にアップリンク通信を前記ネットワークエンティティに送信するためのコードと
を備え、ここにおいて、前記通知を受信するためのコードは、
前の設定可能ＴＴＩ中に１つまたは複数の基準信号を検出することに少なくとも部分的に基づいて、前記前の設定可能ＴＴＩがダウンリンク通信のために設定される、と決定するためのコードと、
前記設定可能ＴＴＩが前記１つまたは複数の基準信号を含まないことを検出することに少なくとも部分的に基づいて、前記設定可能ＴＴＩがアップリンク通信のために設定される、と決定するためのコードと
を備える、非一時的コンピュータ可読記憶媒体。
【請求項２９】
送信するための前記コードが、前記設定可能ＴＴＩ中に前記アップリンク通信を制御データとして前記ネットワークエンティティに送信する、請求項２８に記載の非一時的コンピュータ可読記憶媒体。
【請求項３０】
前記設定可能ＴＴＩがアップリンク通信のために設定されると決定するための前記コードは、前記設定可能ＴＴＩが、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を行うことによって前記１つまたは複数の基準信号を含まないことを検出する、請求項２８に記載の非一時的コンピュータ可読記憶媒体。
【手続補正２】
【補正対象書類名】明細書
【補正対象項目名】００９５
【補正方法】変更
【補正の内容】
【００９５】
[00104]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本明細書で説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ワイヤレスネットワークにおいて動的アップリンクおよびダウンリンク送信時間間隔（ＴＴＩ）切替えを使用して通信するための方法であって、
設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信することと
を備える、方法。
［Ｃ２］
送信することは、前記設定可能ＴＴＩ中に制御データを前記ネットワークエンティティに送信することを備える、Ｃ１に記載の方法。
［Ｃ３］
前記制御データが、１つまたは複数の肯定応答または否定応答インジケータ、チャネル状態情報報告、またはスケジューリング要求を含む、Ｃ２に記載の方法。
［Ｃ４］
前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信することをさらに備える、Ｃ１に記載の方法。
［Ｃ５］
前記通知が、後続の設定可能ＴＴＩをダウンリンクバーストのためのダウンリンク通信に切り替える前に前記アップリンクバーストの長さを示すアップリンクリソース許可を含む、Ｃ４に記載の方法。
［Ｃ６］
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、Ｃ１に記載の方法。
［Ｃ７］
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
をさらに備える、Ｃ１に記載の方法。
［Ｃ８］
前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定することをさらに備え、ここにおいて、前記バースト長が、前記設定可能ＴＴＩに関係するアップリンクリソース許可において指定される、Ｃ１に記載の方法。
［Ｃ９］
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
をさらに備える、Ｃ１に記載の方法。
［Ｃ１０］
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
をさらに備える、Ｃ１に記載の方法。
［Ｃ１１］
前記通知を受信することは、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
を備える、Ｃ１に記載の方法。
［Ｃ１２］
前記設定可能ＴＴＩが前記１つまたは複数の基準信号を含まないことを検出することは、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
を備える、Ｃ１１に記載の方法。
［Ｃ１３］
前記前の設定可能ＴＴＩがダウンリンク通信のために設定されると決定することは、前記前の設定可能ＴＴＩ中に受信された１つまたは複数の信号から物理レイヤチャネルを復号することをさらに含む、Ｃ１１に記載の方法。
［Ｃ１４］
ワイヤレスネットワークにおいて動的アップリンクおよびダウンリンク送信時間間隔（ＴＴＩ）切替えを使用して通信するためのユーザ機器であって、
トランシーバと、
前記ワイヤレスネットワークにおいて信号を通信するためにバスを介して前記トランシーバに通信可能に結合された少なくとも１つのプロセッサと、
前記バスを介して前記少なくとも１つのプロセッサおよび／または前記トランシーバに通信可能に結合されたメモリと
を備え、
ここにおいて、前記少なくとも１つのプロセッサおよび前記メモリは、
前記トランシーバを介して、設定可能ＴＴＩをダウンリンク通信からアップリンク通信に切り替えることの通知をネットワークエンティティから受信することと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記トランシーバを介して、前記通知に少なくとも部分的に基づいて、前記設定可能ＴＴＩの間にアップリンク通信を前記ネットワークエンティティに送信することと
を行うように動作可能である、ユーザ機器。
［Ｃ１５］
前記アップリンク通信が、前記設定可能ＴＴＩ中に前記ネットワークエンティティに送信された制御データに対応する、Ｃ１４に記載のユーザ機器。
［Ｃ１６］
前記制御データが、１つまたは複数の肯定応答または否定応答インジケータ、チャネル状態情報報告、またはスケジューリング要求を含む、Ｃ１５に記載のユーザ機器。
［Ｃ１７］
前記少なくとも１つのプロセッサおよび前記メモリが、前記通知に少なくとも部分的に基づいて、アップリンクバーストにおけるアップリンク通信のために設定された１つまたは複数の後続の設定可能ＴＴＩの間に、アップリンク通信を前記ネットワークエンティティに送信するようにさらに動作可能である、Ｃ１４に記載のユーザ機器。
［Ｃ１８］
前記通知が、後続の設定可能ＴＴＩをダウンリンクバーストのためのダウンリンク通信に切り替える前に前記アップリンクバーストの長さを示すアップリンクリソース許可を含む、Ｃ１７に記載のユーザ機器。
［Ｃ１９］
前記通知が、ダウンリンク通信のために設定された前のＴＴＩ中のビットを含み、ここにおいて、前記ビットは、後続の設定可能ＴＴＩがアップリンク通信のために設定されるべきであること、および／または複数の後続の設定可能ＴＴＩがアップリンクデータバーストのためのアップリンク通信のために設定されることを示す、Ｃ１４に記載のユーザ機器。
［Ｃ２０］
前記少なくとも１つのプロセッサおよび前記メモリが、
前記通知に少なくとも部分的に基づいて、次のダウンリンクバーストのためのダウンリンク通信のために切り替えられるべき第１の設定可能ＴＴＩを決定することと、
前記第１の設定可能ＴＴＩ中に前記ネットワークエンティティから制御データを受信することと
を行うようにさらに動作可能である、Ｃ１４に記載のユーザ機器。
［Ｃ２１］
前記少なくとも１つのプロセッサおよび前記メモリが、前記設定可能ＴＴＩに関係するアップリンクデータバーストのバースト長に少なくとも部分的に基づいて、次のダウンリンクバーストのためのダウンリンク通信のために切り替えられるべき第１の設定可能ＴＴＩを決定するようにさらに動作可能であり、ここにおいて、前記バースト長が、前記設定可能ＴＴＩに関係するアップリンクリソース許可において指定される、Ｃ１４に記載のユーザ機器。
［Ｃ２２］
前記少なくとも１つのプロセッサおよび前記メモリは、
前記アップリンク通信がそれにわたって送信される前記設定可能ＴＴＩに続く１つまたは複数の設定可能ＴＴＩ中に前記ネットワークエンティティからの信号を監視することと、
前記設定可能ＴＴＩに続く前記１つまたは複数の設定可能ＴＴＩ中にダウンリンク基準信号を検出すること、または前記ダウンリンク基準信号を検出することに少なくとも部分的に基づいてダウンリンク制御チャネルを復号することのうちの少なくとも１つに少なくとも部分的に基づいて、ダウンリンク通信に戻る前記１つまたは複数の設定可能ＴＴＩの切替えを決定することと
を行うようにさらに動作可能である、Ｃ１４に記載のユーザ機器。
［Ｃ２３］
前記少なくとも１つのプロセッサおよび前記メモリが、
複数の設定可能ＴＴＩ中にアップリンク通信を送信することに続く、１つまたは複数の設定可能ＴＴＩ中に前記ネットワークエンティティからの信号を監視することと、
前記複数の設定可能ＴＴＩ中にアップリンク通信を送信することに続く、前記設定可能ＴＴＩ中にダウンリンク基準信号を検出することに少なくとも部分的に基づいて、ダウンリンク通信に戻る前記１つまたは複数の設定可能ＴＴＩの切替えを決定することと
を行うようにさらに動作可能である、Ｃ１４に記載のユーザ機器。
［Ｃ２４］
前記少なくとも１つのプロセッサおよび前記メモリは、少なくとも部分的に、
前の設定可能ＴＴＩ中に１つまたは複数の基準信号を検出することに少なくとも部分的に基づいて、前記前の設定可能ＴＴＩがダウンリンク通信のために設定される、と決定することと、
前記設定可能ＴＴＩが前記１つまたは複数の基準信号を含まないことを検出することに少なくとも部分的に基づいて、前記設定可能ＴＴＩがアップリンク通信のために設定される、と決定することと
によって前記通知を受信するように動作可能である、Ｃ１４に記載のユーザ機器。
［Ｃ２５］
前記少なくとも１つのプロセッサおよび前記メモリは、少なくとも部分的に、
前記前の設定可能ＴＴＩ中に前記１つまたは複数の基準信号から取得されたチャネル推定値を使用して、前記１つまたは複数の基準信号のパイロットシーケンスを検出することと、
前記１つまたは複数の基準信号の前記パイロットシーケンスが前記設定可能ＴＴＩ中に存在しないと決定することと
によって、前記設定可能ＴＴＩが前記１つまたは複数の基準信号を含まないことを検出するように動作可能である、Ｃ２４に記載のユーザ機器。
［Ｃ２６］
前記少なくとも１つのプロセッサおよび前記メモリは、少なくとも部分的に、前記前の設定可能ＴＴＩ中に受信された１つまたは複数の信号から物理レイヤチャネルを復号することによって、前記前の設定可能ＴＴＩがダウンリンク通信のために設定されると決定するようにさらに動作可能である、Ｃ２４に記載のユーザ機器。
［Ｃ２７］
ワイヤレスネットワークにおいて動的アップリンクおよびダウンリンク送信時間間隔（ＴＴＩ）切替えを使用して通信するためのユーザ機器であって、
設定可能ＴＴＩをダウンリンク通信からアップリンク通信に切り替えることの通知をネットワークエンティティから受信するための手段と、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するための手段と
を備える、ユーザ機器。
［Ｃ２８］
送信するための前記手段が、前記設定可能ＴＴＩ中に前記アップリンク通信を制御データとして前記ネットワークエンティティに送信する、Ｃ２７に記載のユーザ機器。
［Ｃ２９］
ワイヤレスネットワークにおいて動的アップリンクおよびダウンリンク送信時間間隔（ＴＴＩ）切替えを使用して通信するためのコンピュータ実行可能コードを備える、コンピュータ可読記憶媒体であって、前記コードは、
設定可能ＴＴＩをダウンリンク通信からアップリンク通信に切り替えることの通知をネットワークエンティティから受信するためのコードと、ここにおいて、前記設定可能ＴＴＩが、フレーム内でダウンリンク通信とアップリンク通信との間の設定可能ＴＴＩの動的切替えを可能にするフレーム構造中の複数のＴＴＩのうちの１つである、
前記通知に少なくとも部分的に基づいて、前記設定可能ＴＴＩの間にアップリンク通信を前記ネットワークエンティティに送信するためのコードと
を備える、コンピュータ可読記憶媒体。
［Ｃ３０］
送信するための前記コードが、前記設定可能ＴＴＩ中に前記アップリンク通信を制御データとして前記ネットワークエンティティに送信する、Ｃ２９に記載のコンピュータ可読記憶媒体。